(57)【特許請求の範囲】
【請求項１】
前面に引き出し開口を備えた箱状本体と、当該引き出し開口より前方に引き出して取り外し可能に当該箱状本体内に納められる歯ブラシの支持台とを備えており、
前記箱状本体における内奥側には前記引き出し開口の側に向けて紫外線を照射する殺菌灯が設けてあると共に、
前記支持台には、前記箱状本体の内奥側から引き出し開口側に向けて次第に高まる階段状をなし、各上面においてそれぞれ前記歯ブラシの柄の後端の支持をなす基台部と、
この基台部上に配されると共に前記歯ブラシの柄をその後端側から差し込み可能な差し込み穴を複数備えた当該歯ブラシの柄の支持体とが備えられていることを特徴とする歯ブラシの殺菌装置。
【請求項２】
前面に引き出し開口を備えた箱状本体と、当該引き出し開口より前方に引き出して取り外し可能に当該箱状本体内に納められる歯ブラシの支持台とを備えており、
前記箱状本体における内奥側には前記引き出し開口の側に向けて紫外線を照射する殺菌灯が設けてあると共に、
前記支持台には、前記箱状本体の内奥側から引き出し開口側に向けて次第に高まる向きに傾斜した上面を有し、この上面において前記歯ブラシの柄の後端の支持をなす基台部と、
この基台部上に配されると共に前記歯ブラシの柄をその後端側から差し込み可能な差し込み穴を複数備えた当該歯ブラシの柄の支持体とが備えられていることを特徴とする歯ブラシの殺菌装置。
【発明の詳細な説明】
【０００１】
【発明の属する技術分野】
この発明は、複数の歯ブラシに対し、紫外線による殺菌を同時に適切に施し得る当該歯ブラシの殺菌装置の改良に関するものである。
【０００２】
【従来の技術】
保育園、幼稚園、小学校、老人ホーム、病院など、多数の者が毎日定期的に、あるいは、一定の期間中、生活を共にする施設などにあっては、これらの者が使用する歯ブラシの衛生的な管理が必要とされる。こうした管理としては、もっとも一般的には、使用後の歯ブラシを流水で洗浄した後、日光消毒を行う手法が採られているが、かかる消毒時における歯ブラシへのゴミの付着やハエなどの害虫の接触の可能性からより確実な衛生管理をなし得る手法が求められるところであった。
【０００３】
こうしたことから、複数本の歯ブラシＨ、Ｈ…を起立させた状態で左右方向ｘに並列状に保持させる保持部１００と、この保持部１００に保持された複数本の歯ブラシＨ、Ｈ…に対し上方から紫外線を照射させるように配された殺菌灯１０１とを有する殺菌装置が用いられている。（図１０）しかし、この図１０に示される構成の殺菌装置では、複数本の歯ブラシＨ、Ｈ…を左右方向ｘに並列状に保持させる関係上、前記施設などのように殺菌の必要とされる歯ブラシＨが多量となる場合、殺菌装置の左右方向ｘの寸法が必然的に大きくならざるを得ない。また、並列される隣り合う歯ブラシＨ相互の間隔を狭めることで殺菌装置のある程度のコンパクト化は可能であるが、衛生面から前記のように保持される歯ブラシＨ相互が保持状態において接触し合うことは好ましくないため、このコンパクト化には限界がある。さらに、このように保持される歯ブラシＨに上方から紫外線を照射させる構成では、歯ブラシＨの上端側には紫外線が十分に当たるが、下端側に向かうに連れて十分な紫外線の照射量が確保し難くなり、特に起立状態に保持される歯ブラシＨにおけるブラシ毛の植毛部の下側に対する十分な殺菌を確保し難いものであった。
【０００４】
【発明が解決しようとする課題】
ここで、図１１に示されるように、前記図１０に示される構成を備えた殺菌装置の保持部１００を、当該殺菌装置の前後方向ｙに向けて幅を広げて構成し、このように構成された保持部１００に当該殺菌装置の内奥側から手前側に向けて複数の歯ブラシＨ、Ｈ…を並列状に保持可能とする保持部１００を設けるようにすれば、殺菌装置の左右方向ｘの寸法をいたずらに大きくしなくとも、複数の歯ブラシＨ、Ｈ…に対する殺菌を一度に行え得る殺菌装置を構成可能となる。しかし、この図６に示されるように構成しても、上方から紫外線を照射させる構成を採る限り、歯ブラシＨ全体への十分な紫外線の照射を確保し難い。
【０００５】
だからといって、図１２に示されるように、殺菌装置の内奥側に殺菌灯１０１を単純に起立状態に配置しただけでは、当該殺菌灯１０１にもっとも近い位置に保持された歯ブラシＨには十分な紫外線が照射できるが、それ以外の位置に保持された歯ブラシは殺菌灯１０１側で隣り合う他の保持された歯ブラシＨの陰となってしまうため、保持された複数の歯ブラシＨ、Ｈ…の全体に対し、やはり十分な紫外線の照射を確保をし難い。
【０００６】
そこでこの発明は、かかる従来の技術などの不都合を解消すること、特に、この種の殺菌装置において、装置自体をいたずらに大型化させることなく、複数本の歯ブラシを同時に適切に殺菌することができ、また、この歯ブラシの殺菌装置へのセッティングおよび殺菌処理後の取り出しなどを容易になすことができるようにすることを目的とする。
【０００７】
【課題を解決するための手段】
前記目的を解決するために、請求項１記載の発明にあっては、歯ブラシの殺菌装置を、前面に引き出し開口を備えた箱状本体と、当該引き出し開口より前方に引き出して取り外し可能に当該箱状本体内に納められる歯ブラシの支持台とを備えており、前記箱状本体における内奥側には前記引き出し開口の側に向けて紫外線を照射する殺菌灯が設けてあると共に、前記支持台には、前記箱状本体の内奥側から引き出し開口側に向けて次第に高まる階段状をなし、各上面においてそれぞれ前記歯ブラシの柄の後端の支持をなす基台部と、この基台部上に配されると共に前記歯ブラシの柄をその後端側から差し込み可能な差し込み穴を複数備えた当該歯ブラシの柄の支持体とが備えられている構成を備えたものとした。
【０００８】
かかる構成によれば、殺菌対象となる歯ブラシの柄を支持体の差し込み穴にその後端側から差し込むことにより、このように差し込まれた歯ブラシの当該後端を前記基台部の上面に突き当て支持させると共に、この歯ブラシの柄を前記支持体の差し込み穴で支持して、当該歯ブラシのブラシ毛の植毛面側を前記殺菌灯側に向けた状態で起立状態に支持することができる。
【０００９】
また、前記基台部は前記箱状本体の内奥側から引き出し開口側に向けて次第に高まる階段状をなし、この基台部における隣り合う前記上面の一つに起立状態に支持される歯ブラシと隣り合う前記上面の他の一つに起立状態に支持される歯ブラシとを両者のブラシ毛の植毛面を同じ高さに位置させないようにすることができ、前記殺菌灯から照射される紫外線の照射方向上において前記基台部の各上面に支持される各歯ブラシがそれぞれ、その植毛面に十分に紫外線を受けるようにすることができる。
【００１０】
また、歯ブラシの前記起立状態の支持は、前記箱状本体から前記支持台を引き出した状態での前記支持体の差し込み穴への当該歯ブラシの前記差し入れにより簡単に行え、また、殺菌処理終了後は再び前記箱状本体から前記支持台を引き出して当該差し込み穴から歯ブラシの柄を抜き出すことにより、容易に歯ブラシを使用の用に供することができる。
【００１１】
さらに、かかる支持台は、前記箱状本体から引き出し、取り外すことができ、必要に応じたかかる支持台の洗浄なども容易に行なうことができる。
【００１２】
また、請求項２記載の発明にあっては、歯ブラシの殺菌装置を、前面に引き出し開口を備えた箱状本体と、当該引き出し開口より前方に引き出して取り外し可能に当該箱状本体内に納められる歯ブラシの支持台とを備えており、前記箱状本体における内奥側には前記引き出し開口の側に向けて紫外線を照射する殺菌灯が設けてあると共に、前記支持台には、前記箱状本体の内奥側から引き出し開口側に向けて次第に高まる向きに傾斜した上面を有し、この上面において前記歯ブラシの柄の後端の支持をなす基台部と、この基台部上に配されると共に前記歯ブラシの柄をその後端側から差し込み可能な差し込み穴を複数備えた当該歯ブラシの柄の支持体とが備えられている構成を備えたものとした。
【００１３】
かかる構成によれば、殺菌対象となる歯ブラシの柄を支持体の差し込み穴にその後端側から差し込むことにより、このように差し込まれた歯ブラシの当該後端を前記基台部の上面に突き当て支持させると共に、この歯ブラシの柄を前記支持体の差し込み穴で支持して、当該歯ブラシのブラシ毛の植毛面側を前記殺菌灯側に向けた状態で起立状態に支持することができる。
【００１４】
また、前記基台部は前記箱状本体の内奥側から引き出し開口側に向けて次第に高まる傾斜した上面を有することから、この基台部の上面に後端を支持されて前記起立状態とされる各歯ブラシのうち、前記箱状本体の前後方向において隣り合う歯ブラシのブラシ毛の植毛面を同じ高さに位置させないようにすることができ、前記殺菌灯から照射される紫外線の照射方向上において前記基台部の上面に支持される各歯ブラシがそれぞれ、その植毛面に十分に紫外線を受けるようにすることができる。
【００１５】
また、歯ブラシの前記起立状態の支持は、前記箱状本体から前記支持台を引き出した状態での前記支持体の差し込み穴への当該歯ブラシの前記差し入れにより簡単に行え、また、殺菌処理終了後は再び前記箱状本体から前記支持台を引き出して当該差し込み穴から歯ブラシの柄を抜き出すことにより、容易に歯ブラシを使用の用に供することができる。
【００１６】
さらに、かかる支持台は、前記箱状本体から引き出し、取り外すことができ、必要に応じたかかる支持台の洗浄なども容易に行なうことができる。
【００１７】
【発明の実施の形態】
以下、図１ないし図４に基づいて、この発明の典型的な実施の形態の一つについて説明する。
【００１８】
なお、ここで図１は、この実施の形態にかかる歯ブラシＨの殺菌装置の全体構成を理解し易いように、かかる殺菌装置を構成する箱状本体１内から支持台３の一部を引き出した状態を斜視の状態として表しており、また、図２は、かかる殺菌装置を縦断面の状態として、また、図３は、かかる殺菌装置を横断面の状態として、それぞれ示した構成図である。また、図４は、かかる殺菌装置を前記支持台３の引き出し開口１０を塞ぐ蓋板１５を省略した状態で前面から見て示した構成図である。
【００１９】
この実施の形態にかかる歯ブラシＨの殺菌装置は、同時に複数本の歯ブラシＨ、Ｈ…を殺菌するために用いられるものである。
【００２０】
すなわち、この実施の形態にかかる殺菌装置は、前面に引き出し開口１０を備えた箱状本体１と、この箱状本体１における引き出し開口１０から前方に引き出して取り外しできるように当該箱状本体１の前後方向ｙに移動可能に当該箱状本体１内に納められる歯ブラシＨ、Ｈ…の支持台３とを備えている。
【００２１】
この実施の形態にあっては、前記箱状本体１は、背面板１１、天板１２、底板１３および両側板１４、１４を有すると共に、前面に縦向きに長い長方形状の開口縁をもった前記引き出し開口１０を備えている。また、この箱状本体１はその前面に、上下方向に向けた一側部側で回動可能に組み付けられた蓋板１５を備えており、前記支持台３を納めた状態でこの蓋板１５により前記引き出し開口１０を塞ぐことができるようにしてある。かかる蓋板１５には、前記回動組み付け側と反対の側において外面に把手１５ａが取り付けてあり、この把手１５ａをつかんで当該蓋板１５の開き出し操作をなすことができるようにしてある。図中符号１６で示すのは、前記箱状本体１側に設けたマグネットキャッチであり、符号１５ｂで示すのは、蓋板１５側に設けられたこのマグネットキャッチ１６に吸着される吸着プレートである。
【００２２】
また、かかる箱状本体１の内奥側には、管状をなす殺菌灯１７が、当該箱状本体１の上下方向に長さ側を沿わせるように、配されている。図中符号１７ａで示されるのは、この殺菌灯１７のソケットであり、また、前記箱状本体１にはこの殺菌灯１７に通電させ、当該殺菌灯１７を発光させる商用電源からの電力の供給を受ける電気回路（図示は省略する。）が設けられている。かかる電気回路は、図示しないメインスイッチの閉成により前記殺菌灯１７に通電をさせるものとされる。なお、この実施の形態にあっては、前記箱状本体１における前記引き出し開口１０側に前記蓋板１５の閉位置において閉成して前記電気回路に組み込まれた前記殺菌灯１７に通電させ、かつ、この蓋板１５の開き出しにより開成して当該電気回路に組み込まれた当該殺菌灯１７への通電を停止させるスイッチ１８が設けてあり、かかる蓋板１５の開き出し状態においては前記メインスイッチが閉成されていても前記殺菌灯１７が発光しないようにしてある。これは、前記殺菌灯１７を発光させた殺菌処理動作時に誤って前記蓋板１５を開き出してしまった場合に、当該蓋板１５の操作者の目などを当該殺菌灯１７から照射される紫外線にさらさせないようにするためである。
【００２３】
また、前記殺菌灯１７の両側にはそれぞれ、横断面形状において前記箱状本体１の引き出し開口１０側に向けて当該殺菌灯１７側から次第に離れ出す向きに傾斜した反射板部１９が設けられており、当該殺菌灯１７から放射される紫外線を当該箱状本体１の内奥側から前記引き出し開口１０側に向けて集中的に照射するようにしてある。
【００２４】
この実施の形態にあってはまた、前記支持台３を間に納める間隔を開けて、前記箱状本体１の側板１４に略平行な一対の内部側板２０、２０が設けられており、前記反射板部１９はその引き出し開口１０側にある縁部をもってこの内部側板２０に一体に連接されている。また、前記一対の反射板部１９と一対の内部側板２０、２０とにより形成される前記支持台３の収容空間２２の上部は、これら反射板部１９および内部側板２０と一体に連接された内部天板２１によって塞がれている。
【００２５】
一方、この実施の形態にあっては、前記支持台３は、前記箱状本体１の一対の内部側板２０、２０間に納まる幅と、当該箱状本体１における前記引き出し開口１０縁から前記殺菌灯１７の前端との間に収容可能な奥行とを備えた基板部３０を有している。
【００２６】
そして、この実施の形態にあっては、前記箱状本体１における一対の内部側板２０、２０にそれぞれ、かかる支持台３における基板部３０の下面に接する当該箱状本体１の前後方向ｙに向けたレール２０ａが形成してあり、このレール２０ａ上に支持台３が支持され、かつ、このレール２０ａに案内されながら当該箱状本体１内から支持台３を外部に引き出し、取り外すことができるようにしてある。このレール２０ａによる基板部３０の支持位置は、前記殺菌灯１７の下端より下方に位置されるようにしてあり、基板部３０上方の空間に対してかかる殺菌灯１７から紫外線が照射される。なお、この実施の形態にあっては、さらに、かかる支持台３における基板部３０に、前記レール２０ａの下端側に入り込む折返し部３０ｂを備えた当該レール２０ａへの嵌め合い部３０ａが形成してある。
【００２７】
このように構成される前記基板部３０の上面側に、この基板部３０の面積内に納まるように、殺菌対象となる歯ブラシＨ、Ｈ…の柄Ｈａの後端Ｈｂ（すなわち、ブラシ毛の植毛Ｈｃ側と反対側の柄Ｈａの端）の支持をなす基台部３１が備えられ、さらに、この基台部３１の上方に配されるようにこの歯ブラシＨ、Ｈ…の柄Ｈａを起立状態に支持する支持体３２が設けられている。
【００２８】
かかる基台部３１は、前記箱状本体１の内奥側から引き出し開口１０側に向けて、すなわち、箱状本体１の前方向に向けて次第に高まる階段状をなし、各階段上面３１ａ、３１ａ…においてそれぞれ前記歯ブラシＨ、Ｈ…の柄Ｈａの後端Ｈｂの支持をなすように構成してある。また、隣り合う階段上面３１ａは、平均的な長さの歯ブラシＨ、Ｈ…における当該歯ブラシＨ、Ｈ…の長さ方向におけるブラシ毛の植毛Ｈｃ面の寸法分の寸法と略同じか、それより大きい寸法分の段差を持つように構成してある。また、各階段上面３１ａ、３１ａ…は、前記基板部３０の左右方向に亙って平坦に連なるように構成してある。より具体的には、この実施の形態にあっては、かかる基台部３１を、前記基板部３０における引き出し先側にある縁部に亙る起立面３１ｂを有し、かつ、この起立面３１ｂの頂端から当該基板部３０における前記殺菌灯１７側に向けられた縁部側に向けて低まる前記階段状をなすように、板材を複数位置で屈曲させて構成してある。また、前記基板部３０における引き出し先側にある縁部には立ち上がり部３０ｃが左右方向に亙って形成してあり、支持台３の引き出し操作をこの立ち上がり部３０ｃに指をかけてなすことができるようにしてある。
【００２９】
また、前記支持体３２は、この実施の形態にあっては、板材を前記基台部３１の階段状をなす上面形状に倣うように階段状に折り曲げて構成してある。この実施の形態にあっては、かかる支持体３２は、前記基台部３１上に間隔を開けて上下二段に配されている。下側の支持体３２ｂは、前記基台部３１のそれぞれの階段上面３１ａの直上位置に、それと対応する横向きの上面３２ｃを略平行とするように配させており、また、上側の支持体３２ａは、前記下側の支持体３２ｂのそれぞれの横向きの上面３２ｃの直上位置に、それと対応する横向きの上面３２ｃを略平行とするように配されている。また、上側の支持体３２ａの各横向きの上面３２ｃと、それと対応する直下位置にある前記基台部３１の階段上面３１ａ間の寸法が、平均的な長さの歯ブラシＨ、Ｈ…の前記後端Ｈｂを当該階段上面３１ａに突き立てて起立させた状態において当該歯ブラシＨ、Ｈ…におけるブラシ毛の植毛Ｈｃされている箇所が上側の支持体３２ａの上方に位置されるように設定してある。また、上側の支持体３２ａおよび下側の支持体３２ｂ双方とも、前記基板部３０の左右方向ｘに亙る幅を備えている。なお、この実施の形態にあっては、前記上側の支持体３２ａおよび下側の支持体３２ｂの双方とも、前記基板部３０の前後に二つに分割されている。また、各支持体３２は、その四隅において、前記基台部３１に起立状態に設けられた支柱３０ｄに固定されて、当該基台部３１により支持されている。
【００３０】
そして、この実施の形態にあっては、前記各支持体３２、３２…における各横向きの上面３２ｃ、３２ｃ…に、当該支持体３２の左右方向ｘに向けて前記歯ブラシＨ、Ｈ…の柄Ｈａをその後端Ｈｂ側から差し込むことが可能な大きさの複数の差し込み穴３２ｄ、３２ｄ…が互いに略等しい間隔を開けて並列状態に設けてある。また、上側の支持体３２ａの一つの横向きの上面３２ｃに形成された一つの差し込み穴３２ｄの直下には、それに対応した下側の支持体３２ｂの一つの横向きの上面３２ｃに形成された一つの差し込み穴３２ｄが位置されるようにしてある。
【００３１】
この結果、この実施の形態にあっては、殺菌対象となる歯ブラシＨ、Ｈ…の柄Ｈａを上側の支持体３２ａの差し込み穴３２ｄにその後端Ｈｂ側から差し込むことにより、このように差し込まれた歯ブラシＨ、Ｈ…の当該後端Ｈｂを前記基台部３１の一つの階段上面３１ａに突き当て支持させると共に、この歯ブラシＨ、Ｈ…の柄Ｈａを前記下側の支持体３２ｂの差し込み穴３２ｄと上側の支持体３２ａの差し込み穴３２ｄとで支持して、当該歯ブラシＨ、Ｈ…のブラシ毛の植毛Ｈｃ面側を前記殺菌灯１７側に向けた状態で起立状態に支持することができる。この実施の形態にあっては、かかる差し込み穴３２ｄは前記支持体３２を構成する基板部３０の左右方向ｘに真直な穴縁３２ｅを備えた方形状に形成してあり、この真直な穴縁３２ｅによって前記歯ブラシＨ、Ｈ…の植毛Ｈｃ面が前記殺菌灯１７に向けられる向きでの当該歯ブラシＨ、Ｈ…の支持を安定的になすことができるものとしてある。
【００３２】
かかる差し込み穴３２ｄは、前記各支持体３２の一つの横向きの上面３２ｃに左右方向ｘに亙り複数個設けてあることから、前記支持台３上に一度に複数本の歯ブラシＨ、Ｈ…を前記のような起立状態に支持させることができる。
【００３３】
また、前記基台部３１は前記箱状本体１の内奥側から引き出し開口１０側に向けて次第に高まる階段状をなし、隣り合う前記階段上面３１ａの一つに起立状態に支持される歯ブラシＨ、Ｈ…と隣り合う前記階段上面３１ａの他の一つに起立状態に支持される歯ブラシＨ、Ｈ…とを両者のブラシ毛の植毛Ｈｃ面を同じ高さに位置させないようにすることができ、前記殺菌灯１７から照射される紫外線の照射方向ｚ上において前記基台部３１の各階段上面３１ａ、３１ａ…に支持される歯ブラシＨ、Ｈ…がそれぞれ、その植毛Ｈｃ面に十分に紫外線を受けるようにすることができる。
【００３４】
また、歯ブラシＨ、Ｈ…の前記起立状態の支持は、前記箱状本体１から前記支持台３を引き出した状態での前記支持体３２の差し込み穴３２ｄへの前記差し入れにより簡単に行え、また、殺菌処理終了後は再び前記箱状本体１から前記支持台３を引き出して当該差し込み穴３２ｄから歯ブラシＨ、Ｈ…の柄Ｈａを抜き出すことにより、容易に歯ブラシＨ、Ｈ…を使用することができる。
【００３５】
さらに、かかる支持台３は、前記箱状本体１から引き出し、取り外すことができ、必要に応じたかかる支持台３の洗浄なども容易に行なうことができる。
【００３６】
なお、この実施の形態にあっては、かかる支持台３における前記上側の支持体３２ａおよび下側の支持体３２ｂの双方とも、段差を介して隣り合う横向きの上面３２ｃの一方に設けられた複数の前記差し込み穴３２ｄに支持される各歯ブラシＨ、Ｈ…と、段差を介して隣り合う横向きの上面３２ｃの他方に設けられた複数の前記差し込み穴３２ｄに支持される各歯ブラシＨ、Ｈ…とが左右方向ｘにおいても位置をずらした状態で支持されるように、当該差し込み穴３２ｄの開設位置が隣り合う横向きの上面３２ｃにおいて異ならさせてある。（図３）これは、支持される各歯ブラシＨ、Ｈ…相互の非接触状態を保ち易くすると共に、かかる各歯ブラシＨ、Ｈ…にそれぞれ、一層妨げなく前記殺菌灯１７からの紫外線を照射させる等の理由に基づくものである。
【００３７】
なお、この実施の形態にあっては、前記箱状本体１における図３における上側の内部側板２０とこの側の側板１４との間に、軸流ファンとして機能するモータ一体型のファンユニット２３が前記支持台３の前記収容空間２２内にエアを吹き込む向きに組み付けられていると共に、このファンユニット２３と当該内部側板２０との間にセラミックヒータ２４が設けてあり、かかる収容空間２２内に納められた支持台３上に支持された歯ブラシＨ、Ｈ…に殺菌と同時に温風を吹きかけ、使用により湿潤状態にある歯ブラシＨ、Ｈ…植毛Ｈｃ部を含んだ歯ブラシＨ、Ｈ…全体の乾燥もなすことができるようにしてある。これは、前記殺菌灯１７による消毒と同時に歯ブラシＨに加熱と乾燥を通じた消毒を施して殺菌効果をより高めるためである。Ｏ−１５７菌（Ｅｓｃｈｅｒｉｃｈｉａ  ｃｏｉｌ  Ｏ−１５７  ＴＴ９）を初めとする種々の有害菌を死滅させる観点からは、摂氏６０度以上の温風を１０分以上吹き掛けることが有効である。図中符号１４ａで示すのは側板１４に開設されたエアの吸入開口部であり、符号１４ｂで示すのはエアフィルタである。また、図中符号２０ｂで示すのは内部側板２０に設けた加熱エアの通過口部であり、符号１４ｃで示すのは前記吸入開口部１４ａが設けられた側板１４と反対の側板１４に設けられたかかる加熱エアの流出口部である。特に、この実施の形態にあっては、前記支持体３２がいずれも横向きに配された板体によって構成してあることから、かかる加熱エアを前記のように支持された歯ブラシＨ、Ｈ…全体に行きわたらせることができる。
【００３８】
なお、前記図示しない電気回路にタイマスイッチを設けておくことにより、殺菌処理ならびに乾燥処理に必要とされる所定時間の経過により、当該タイマスイッチを開成させて前記殺菌灯１７、ファンユニット２３およびヒータ２４への通電を停止させるようにすることもできる。
【００３９】
次いで、図５ないし図９に示されるこの発明の典型的な実施の形態の他の一つについて説明する。
なお、ここで図５は、かかる実施の形態にかかる歯ブラシＨの殺菌装置の全体構成を理解し易いように、かかる殺菌装置を構成する箱状本体１内から支持台４の一部を引き出した状態を斜視の状態として表しており、また、図６は、かかる殺菌装置を縦断面の状態として、また、図７は、かかる殺菌装置を横断面の状態として、それぞれ示した構成図である。また、図８は、かかる殺菌装置を前記支持台４の引き出し開口１０を塞ぐ蓋板１５を省略した状態で前面から見て示した構成図であり、さらに、図９は、支持台４を構成する支持台本体４１と基板部４０とを分離して示した斜視図である。
【００４０】
図５ないし図９に示される実施の形態にかかる殺菌装置は、前記図１ないし図４に示される殺菌装置と異なる構成の支持台４を備えたものとしてある。
【００４１】
すなわち、図５ないし図９に示される実施の形態にかかる殺菌装置にあっては、前記箱状本体１の底板１３の上方に、当該底板１３と略平行をなす載置板２５が設けられている。そして、前記内部側板２０と内部天板２１およびこの載置板２５によって前記支持台４の収容空間２２が形成されている。
【００４２】
この図５ないし図９に示される実施の形態にあっては、支持台４は、かかる載置板２５の上面に載せ置かれた略方形板状の基板部４０と、この基板部４０の上面にこの基板部４０の面積内に納まるように載せ置かれた支持台本体４１とから構成されている。基板部４０は四周の縁部に立ち上がり部４０ａを備えたトレイ状に形成されている。また、支持台本体４１は、殺菌装置の前後方向ｙに沿った向きに間隔を開けて配される一対の側板部４１ａ、４１ａと、この一対の側板部４１ａ、４１ａの下側において当該一対の側板部４１ａ、４１ａ間に亙るように両側端部をそれぞれ当該側板部４１ａに一体に組み付けて配される板状をなす基台部４１ｂと、この基台部４１ｂの上方において前記一対の側板部４１ａ、４１ａ間に亙り、かつ、当該基台部４１ｂの板面と板面を略平行とするようにその両側端部をそれぞれ当該側板部４１ａに一体に組み付けて配された板状をなす支持体４１ｃとを備えている。支持体４１ｃは、上下二段をなし、下側の支持体４１ｉと基台部４１ｂとの間と、下側の支持体４１ｉと上側の支持体４１ｈとの間には、略等しい間隔が形成されている。また、上側の支持体４１ｈは、前記一対の側板部４１ａ、４１ａの上縁間に亙るように備えられている。また、この実施の形態にあっては、前記一対の側板部４１ａ、４１ａの下縁４１ｅに対し、前記基台部４１ｂの上面４１ｇおよび前記両支持体４１ｃ、４１ｃの上面がいずれも傾きを持つように形成されており、この一対の側板部４１ａ、４１ａの下縁４１ｅを前記載置板２５上に載せ置いた基板部４０の上面に接しさせたセット状態において、かかる基台部４１ｂの上面４１ｇおよび両支持体４１ｃ、４１ｃの上面がいずれも前記箱状本体１の内奥側から引き出し開口１０側に向けて次第に高まる向きに傾斜するように構成してある。
【００４３】
そして、この実施の形態にあっては、前記両支持体４１ｃ、４１ｃに、当該支持体４１ｃの左右方向ｘに向けて前記歯ブラシＨ、Ｈ…の柄Ｈａをその後端Ｈｂ側から差し込むことが可能な大きさの複数の差し込み穴４１ｊ、４１ｊ…が互いに略等しい間隔を開けて並列状態に設けてある。また、上側の支持体４１ｈに形成された一つの差し込み穴４１ｊの直下には、それに対応した下側の支持体４１ｉに形成された一つの差し込み穴４１ｊが位置されるようにしてある。
【００４４】
この結果、この実施の形態にあっては、殺菌対象となる歯ブラシＨ、Ｈ…の柄Ｈａを上側の支持体４１ｈの差し込み穴４１ｊにその後端Ｈｂ側から差し込むことにより、このように差し込まれた歯ブラシＨ、Ｈ…の当該後端Ｈｂを前記基台部４１ｂの上面４１ｇに突き当て支持させると共に、この歯ブラシＨ、Ｈ…の柄Ｈａを前記下側の支持体４１ｉの差し込み穴４１ｊと上側の支持体４１ｈの差し込み穴４１ｊとで支持して、当該歯ブラシＨ、Ｈ…のブラシ毛の植毛Ｈｃ面側を前記殺菌灯１７側に向けた状態で起立状態に支持することができる。この実施の形態にあっては、かかる差し込み穴４１ｊは、歯ブラシの柄の幅寸法よりもやや大きい長さ寸法を備えた前記支持体４１ｃを構成する基板部４０の左右方向ｘに長い長穴状に形成してあり、前記のように差し込まれた歯ブラシＨ、Ｈ…の植毛Ｈｃ面が前記殺菌灯１７に向けられる向きでの当該歯ブラシＨ、Ｈ…の支持を安定的になすことができるものとしてある。
【００４５】
また、前記各支持体４１ｃ、４１ｃには、この各支持体４１ｃの左右方向ｘに亙り複数の差し込み穴４１ｊ、４１ｊ…が列をなすように設けられていると共に、さらに、この差し込み穴の列４１ｋが各支持体４１ｃの前後方向ｙに亙って互いに略等しい間隔を開けて複数設けられている。
【００４６】
ここで、前述のように、前記基台部４１ｂは前記箱状本体１の内奥側から引き出し開口１０側に向けて次第に高まる傾斜した上面４１ｇを有することから、前記各支持体４１ｃ、４１ｃにおける隣り合う差し込み穴の列４１ｋ、４１ｋの一つによって起立状態に支持される歯ブラシＨ、Ｈ…と隣り合う差し込み穴の列４１ｋ、４１ｋの他の一つによって起立状態に支持される歯ブラシＨ、Ｈ…とは両者のブラシ毛の植毛Ｈｃ面を同じ高さに位置させないものとされる。この結果、前記殺菌灯１７から照射される紫外線の照射方向ｚ上において前記基台部４１ｂに支持される歯ブラシＨ、Ｈ…がそれぞれ、その植毛Ｈｃ面に十分に紫外線を受けるようにすることができる。また、この実施の形態にあっても、かかる支持台本体４１における前記上側の支持体４１ｈおよび下側の支持体４１ｉの双方とも、隣り合う一方の差し込み穴の列４１ｋに支持される各歯ブラシＨ、Ｈ…と隣り合う他方の差し込み穴の列４１ｋに支持される各歯ブラシＨ、Ｈ…とが左右方向ｘにおいても位置をずらした状態で支持されるように、隣り合う一方の差し込み穴の列４１Ｋを構成する差し込み穴４１ｊと隣り合う他方の差し込み穴の列４１Ｋを構成する差し込み穴４１ｊとが互いに前後方向ｙにおいて同一線上に並ばない状態で位置をズラして開設された構成としてある。（図７）これも、支持される各歯ブラシＨ、Ｈ…相互の非接触状態を保ち易くすると共に、かかる各歯ブラシＨ、Ｈ…にそれぞれ、一層妨げなく前記殺菌灯１７からの紫外線を照射させる等の理由に基づくものである。
【００４７】
なお、この実施の形態にあっては、前記支持台本体４１を構成する前記一対の側板部４１ａ、４１ａにそれぞれ、当該側板部４１ａの前後方向ｙに長いエアの通過穴４１ｆが透設してある。また、支持台本体４１における引き出し手前側には、コ字状をなす把手４１ｄがその両端を上側の支持体４１ｈに一体に組み付けた状態で、上方に突き出すように組み付けてある。前記収容空間２２を塞ぐ蓋板１５を開き、この支持台本体４１の把手４１ｄを把持して、支持台４を箱状本体１内から前記トレイ状をなす基板部４０共々、前方に引き出すことができる。
【００４８】
特に、この実施の形態にあっては、トレイ状をなす基板部４０に支持台本体４１を分離可能に載せ置いた構成としてあることから、基板部４０共々所定の位置まで引き出した支持台本体４１を前記把手４１ｄを掴んで持ち上げて基板部４０と分離し、このように分離した状態で歯ブラシＨのセットおよび殺菌処理済の歯ブラシＨの取り出しを容易になすことができる。また、基板部４０と支持台本体４１とを分離しての両者の洗浄・清掃を容易になすことができる。また、かかるトレイ状をなす基板部４０によりセットされた歯ブラシＨの水分を受けて、箱状本体１の前記載置板２５を濡らさないようにすることができ、また、前記箱状本体１内からの支持台４の引き出しにあたっては箱状本体１の載置板２５と基板部４０の下面とを面的に摺接させて当該支持台４が引き出されることから、かかる載置板２５を傷付けることがない。また、前記差し込み穴４１ｊの数などを異ならせる複数の支持台本体４１を容易させておくことにより、殺菌すべき歯ブラシの数の増減にある程度対応可能な殺菌装置を構成することもできる。また、この実施の形態にあっては、前記支持台本体４１を構成する基台部４１ｂに複数の小孔４１ｍ、４１ｍが透設されており、前記のように支持体４１ｃの差し込み穴４１ｊに差し入れられ起立状態に支持された歯ブラシＨの柄Ｈａの後端Ｈｂをズレなく支持し易く、また、歯ブラシＨに付着された水分をかかる小孔４１ｍを通じて下方に流し落とせるようにしてある。
【００４９】
また、この実施の形態にあっては、箱状本体１の収容空間２２を形成させる一対の内部側板２０、２０のうち、ファンユニット２３の設置側と反対の内部側板２０に形成される通過口部２０ｂが、当該内部側板２０の外側に張り出す目隠し板部２０ｃによって当該内部側板２０の外側において下向きに開放した構成としてあり、この側にある箱状本体１の側板１４の流出口部１４ｃから殺菌灯１７の紫外線が外部に漏れないようにしてある。以上に説明した図５ないし図９に示される殺菌装置のその余の構成は、図１ないし図４に示される殺菌装置と同一または実質的に同一であるので、同一または実質的に同一の構成部分については、図１ないし図４に付した符号と同一の符号を図５ないし図９に付してその説明を省略する。
【００５０】
【発明の効果】
この発明にかかる歯ブラシの殺菌装置によれば、装置自体をその左右方向においていたずらに大型化させることなく、複数本の歯ブラシを同時に適切に殺菌することができ、また、この歯ブラシの殺菌装置へのセッティングおよび殺菌処理後の取り出しなどを容易になすことができる。
【図面の簡単な説明】
【図１】殺菌装置を構成する箱状本体１内から支持台３の一部を引き出した状態を示す斜視図
【図２】図１に示される殺菌装置の縦断面構成図
【図３】図１に示される殺菌装置の横断面構成図
【図４】図１に示される殺菌装置を支持台３の引き出し開口１０を塞ぐ蓋板１５を省略した状態で示す正面構成図
【図５】他の実施の形態にかかる殺菌装置を構成する箱状本体１内から支持台４の一部を引き出した状態を示す斜視図
【図６】図５に示される殺菌装置の縦断面構成図
【図７】図５に示される殺菌装置の横断面構成図
【図８】図５に示される殺菌装置を支持台４の引き出し開口１０を塞ぐ蓋板１５を省略した状態で示す正面構成図
【図９】図５に示される殺菌装置における支持台４の分離斜視図
【図１０】従来例を示す構成図
【図１１】検討例を示す構成図
【図１２】検討例を示す構成図
【符号の説明】
Ｈ  歯ブラシ
Ｈａ  柄
Ｈｂ  後端
１  箱状本体
１０  引き出し開口
１７  殺菌灯
３、４  支持台
３１、４１ｂ  基台部
３１ａ  上面
３２、４１ｃ  支持体
３２ｄ、４１ｊ  差し込み穴
【図１】
0003693526.tif 000002
【図２】
0003693526.tif 000003
【図３】
0003693526.tif 000004
【図４】
0003693526.tif 000005
【図５】
0003693526.tif 000006
【図６】
0003693526.tif 000007
【図７】
0003693526.tif 000008
【図８】
0003693526.tif 000009
【図９】
0003693526.tif 000010
【図１０】
0003693526.tif 000011
【図１１】
0003693526.tif 000012
【図１２】
0003693526.tif 000013